(57)【要約】【課題】  ルーバーの角度調節の自由度を上げ回転動作をスムーズにしたルーバーの角度調節装置及びこれを備えたミスト発生装置を提供する。【解決手段】  ルーバー２２の軸部３９周囲に複数回巻き付けられたコイル部分４２と端部に形成された第１バネ端部４３及び第２バネ端部４４で形成されたバネ部４０と、ルーバー２２が静止している時に第１バネ端部４３及び第２バネ端部４４と当接する第１突起４５及び第２突起４６とで構成された軸固定手段により、ルーバー２２を回転させると軸部３９が回転して第１バネ端部４３が第１突起４５により移動が規制され、コイル部分４２が徐々に縮径して軸部３９を締め付け、軸部３９とコイル部分４２との間の最大摩擦力を超えたら一定の力で軸部３９が回転可能となるため、ルーバー２２の角度調節をスムーズに行うことができ、ルーバー２２の固定可能な角度について自由度が増すことから使い勝手が向上する。【選択図】  図５
2016114269.tif 000002
【特許請求の範囲】
【請求項１】
器具本体と、該器具本体の天面に形成され空気が吹き出す送風口と、該送風口に設置され空気の風向を調節するルーバーと、該ルーバーの端部に設置され前記ルーバーの回転軸としての軸部と、該軸部が回転自在となるように設置された軸受け部と、前記軸部が所望の開口位置で静止するよう固定する軸固定手段とを備え、
前記軸固定手段は、前記軸部に巻き付いたコイル部分を備えたバネ部と、該バネ部の両端に形成されたバネ端部の移動を規制するバネ固定部とで構成されたことを特徴とするルーバーの角度調節装置。
【請求項２】
前記軸部が回転した時、一方の前記バネ端部の移動を規制し、他方の前記バネ端部の移動を規制しないように前記バネ固定部を形成して、前記軸部の回転に伴い前記コイル部分が縮径するようにしたことを特徴とする請求項１記載のルーバーの角度調節装置。
【請求項３】
前記請求項１又は２に記載の前記軸固定手段を備え、器具本体と、該器具本体の天面に形成され空気が吹き出す送風口と、該送風口に設置され空気の風向を調節するルーバーと、前記器具本体内にあり水を貯留する貯水室と、該貯水室内の水を破砕してナノミストと負イオンを発生させるミスト発生部と、該ミスト発生部で発生したナノミストと負イオンを含んだ加湿空気を前記送風口から前記天面に対して垂直な方向へ送風する送風ファンと、該送風ファンにより前記ミスト発生部で発生したナノミストと負イオンを含んだ加湿空気を送風するミスト運転を実施する制御部とを備えたことを特徴とするミスト発生装置。
【発明の詳細な説明】
【技術分野】
【０００１】
この発明は、送風口に設置され送風方向を変更するルーバーの角度調節装置及びナノミストと負イオンを含んだ加湿空気を室内へ送風するミスト発生装置に関するものである。
【背景技術】
【０００２】
従来、この種のものにおいて、器具本体内の貯水室の水を回転体で揚水し、揚水した水をミスト発生部で破砕することでミストを発生させ、送風ファンにより器具本体の送風口から室内へミストを含んだ加湿空気を送風するミスト運転を行うミスト発生装置があり、送風口にルーバーの角度を調節する角度調節手段を備えていた。
【０００３】
前記角度調節手段は、ルーバーを送風口の側面に対して回転可能に支持する軸部と、ルーバーの側面に複数形成された凸部と、送風口の側面の所定位置に形成され前記凸部が嵌り込む凹部とで構成され、軸部を支点にルーバーを回転させ凸部の一つが凹部に嵌り込むことで、ルーバーを使用者の好みの角度で固定して加湿空気を送風することが可能なものがあった。（例えば、特許文献１）
【先行技術文献】
【特許文献】
【０００４】
【特許文献１】特開２０１２−１２７５８９号公報
【発明の概要】
【発明が解決しようとする課題】
【０００５】
しかし、この従来のものでは、ルーバーの角度を固定可能な位置が凸部の数に依存するため、使用者が本来希望する方向が完全に満たされるよう加湿空気を送風することができないことから、改善の余地があった。
【課題を解決するための手段】
【０００６】
上記課題を解決するために、本発明の請求項１では、器具本体と、該器具本体の天面に形成され空気が吹き出す送風口と、該送風口に設置され空気の風向を調節するルーバーと、該ルーバーの端部に設置され前記ルーバーの回転軸としての軸部と、該軸部が回転自在となるように設置された軸受け部と、前記軸部が所望の開口位置で静止するよう固定する軸固定手段とを備え、
前記軸固定手段は、前記軸部に巻き付いたコイル部分を備えたバネ部と、該バネ部の両端に形成されたバネ端部の移動を規制するバネ固定部とで構成されたことを特徴としている。
【０００７】
また、請求項２では、前記軸部が回転した時、一方の前記バネ端部の移動を規制し、他方の前記バネ端部の移動を規制しないように前記バネ固定部を形成して、前記軸部の回転に伴い前記コイル部分が縮径するようにしたことを特徴としている。
【０００８】
また、請求項３では、前記請求項１又は２に記載の前記軸固定手段を備え、器具本体と、該器具本体の天面に形成され空気が吹き出す送風口と、該送風口に設置され空気の風向を調節するルーバーと、前記器具本体内にあり水を貯留する貯水室と、該貯水室内の水を破砕してナノミストと負イオンを発生させるミスト発生部と、該ミスト発生部で発生したナノミストと負イオンを含んだ加湿空気を前記送風口から前記天面に対して垂直な方向へ送風する送風ファンと、該送風ファンにより前記ミスト発生部で発生したナノミストと負イオンを含んだ加湿空気を送風するミスト運転を実施する制御部とを備えたことを特徴としている。
【発明の効果】
【０００９】
この発明によれば、軸固定手段は、軸部に巻き付いたコイル部分を備えたバネ部と、該バネ部の両端に形成されたバネ端部の移動を規制するバネ固定部とで構成されたので、ルーバーの固定位置の自由度を上げてより使用者の好みの方向へ送風することが可能となるため、使い勝手が向上する。
【００１０】
また、軸部が回転した時、一方のバネ端部の移動を規制し、他方のバネ端部の移動を規制しないようにバネ固定部を形成して、軸部の回転に伴いコイル部分が縮径するようにしたので、ルーバーの送風方向を変更させる時に軸部が回転すると、一方のバネ端部のみがバネ固定部によって移動が規制されることから、初期のルーバー回転時は軸部がコイル部分によって徐々に締め付けられて縮径し、その後、一定の力でルーバーを回転させることができるため、ルーバーの回転をスムーズに行うことができ使用感が向上する。
【図面の簡単な説明】
【００１１】
【図１】この発明の一実施形態のミスト発生装置を示す斜視図
【図２】同一実施形態の概略構成図
【図３】同一実施形態の制御ブロック図
【図４】同一実施形態の操作部を説明する図
【図５】同一実施形態のルーバー周辺の構造を説明する図
【図６】同一実施形態のルーバーが静止した時の角度調節装置を説明する図
【図７】同一実施形態のルーバー回転時の角度調節装置を説明する図
【図８】同一実施形態のルーバーを所望の角度で固定した時の角度調節装置を説明する図
【発明を実施するための形態】
【００１２】
次に、本発明の一実施形態におけるミスト発生装置を図に基づき説明する。
１は室内の空気清浄や加湿を行うミスト発生装置の器具本体で、中央部には吸引口２から吸引された室内空気を中央で回転駆動するシロッコファンからなる送風ファン３へ案内する円筒状の案内筒４が備えられている。
【００１３】
５は前記案内筒４を覆った処理室、６は該処理室５の下部に設けられた貯水室であり、該貯水室６は、タンク７のキャップ８が装着可能なタンク装着部９を備えた給水室１０と通水路１１を介して連通しており、タンク７の高さ方向の落差で水を供給することで貯水室６内が常時一定水位に保たれる。また、１２は給水室１０内に設けられ、貯水室６及び給水室１０に一定水位以上の貯水があるとき水位有りを検知するフロートセンサである。
【００１４】
１３は貯水室６の貯水に下部を水没させ、駆動モータ１４により回転可能な駆動軸１５に送風ファン３と共に軸支された筒状の回転体であり、この回転体１３は中空逆円錐形で上方に向かって径が徐々に拡大するものであり、回転体１３が回転することによる遠心力で貯水室６の水を回転体１３の外壁および内壁を伝わせて揚水し、回転体１３の外壁を伝わせて揚水した水を周囲に飛散させると共に、回転体１３の内壁を伝わせて揚水した水を回転体１３の上端に形成された複数の図示しない飛散口から周囲に飛散させる。
【００１５】
１６は回転体１３の上部外周に所定間隔を保持して位置し回転体１３と共に回転する円筒状の多孔体で、この多孔体１６にはその全周壁に多数のスリットや金網やパンチングメタル等から成るミスト発生部としての多孔部１７が形成されいる。
【００１６】
前記駆動モータ１４を駆動させ、回転体１３を回転させることで発生する遠心力で貯水室６内の水を揚水すると共に空気を飛散させ、多孔部１７を通過した水滴が破砕されることで、水の粒子を微細化してナノメートル（ｎｍ）サイズのミストが生成すると共に、水の粒子の微細化によるレナード効果で負イオンを多量に発生させるものである。
【００１７】
１８は貯水室６の底部に備えられ貯水室６内の水を加熱する加熱ヒータであり、風量モードが強風に設定されると、貯水室６内の貯水温度を設定温度の３８℃前後に、風量モードが弱風に設定されると、貯水室６内の貯水温度を設定温度の３４℃前後に加熱保温して吹き出し温度を３０℃程度に保持するものであり、貯水室６の底部に設置され貯水室６内の水の温度を検知する温度センサ１９の検知温度によって、加熱ヒータ１８がＯＮ／ＯＦＦされて所定温度に保持するもので、加熱ヒータ１８を強制的にＯＦＦにして貯水室６内の水を加温しないモードも設定可能としている。
【００１８】
２０は回転体１３と多孔体１６との回転により発生したナノミスト及び負イオンを含む加湿空気を送風ファン３を駆動させることで処理室５の上部方向へ案内する流通路、２１は器具本体１の天面の前面側に形成され前記流通路２０を流通する加湿空気を室内へ送風する送風口であり、流通路２０を上昇した加湿空気が送風口２１からルーバー２２の角度に沿った方向へ送風される。
【００１９】
２３は貯水室６と連通している通水路１１に備えられた排水弁で、タンク７から給水室１０へ水が供給された状態では閉弁状態に切り替わることで貯水室６内の残水の排水を確実に阻止し、タンク７から給水室１０への水の供給が停止されると開弁が可能な状態に切り替わることで、タンク７を抜かずとも貯水室６及び給水室１０内の水のみを排水することができる。
【００２０】
２４は貯水室６内の残水の排水を受ける上面開放の排水トレーで、器具本体１内に出し入れ自在に備えられ、その容積は貯水室６の残水を十分に収容できる大きさとしているものである。
【００２１】
２５は駆動軸１８が貫通した貯水室６に備えられ駆動軸１８と回転体１３との接続箇所を固定するナットであり、該ナット２５を回転させて取り外し、回転体１３を器具本体１内から取り出すことで貯水室６内の掃除を可能とする。
【００２２】
２６は貯水室６の底面と一体に形成されタンク装着部９にタンク７を装着した時にキャップ８に備えられた図示しない弁体が当接する当接部であり、タンク７をタンク装着部９に装着すると当接部２６により弁体が押し上げられ、タンク７内の水を給水室１０内に供給することが可能となる。
【００２３】
２７は器具本体１の前面に備えられ複数のボタンが設置された操作部であり、この操作部２７には、駆動モータ１４を駆動させて送風ファン３及び回転体１３を回転駆動させ、部屋内にミストを含んだ加湿空気を送風するミスト運転を開始する運転ボタン２８と、駆動モータ１４の回転数を変化させて送風口２１からの送風量を変化させる風量モードを切り替える風量ボタン２９と、加熱ヒータ１８によって所定温度まで高めた貯水室６内の水を破砕する温ミスト運転を実施する温ミストボタン３０と、ボタン操作から１時間もしくは２時間経過後にミスト運転を停止させる切りタイマーボタン３１とが備えられており、各ボタンが操作されたら、各ボタンの上部に設置された所定のランプを点灯させる。
【００２４】
３２は前記操作部２７からの入力信号や温度センサ１９及びフロートセンサ１２の検知信号を受けて加熱ヒータ１８及び駆動モータ１４の動作を制御する制御部であり、制御部３２には、ミスト運転時に設定温度となるよう加熱ヒータ１８の出力を制御するヒータ制御手段３３と、ミスト運転時の送風量の強弱によって変化する設定風量となるよう駆動モータ１４の出力を制御するモータ制御手段３４と、ミスト運転中にフロートセンサ１２が水位無しを検知した場合、前記操作部２７に設置された給水ランプ３５を点灯させてミスト運転を停止しエラーを報知するエラー停止手段３６とが備えられている。
【００２５】
次に、ルーバー２２の角度調節装置について図５に基づいて説明する。
３７は送風口２１の側面を構成する送風口側面板３８に開口された軸受け部、３９は略円形状で前記軸受け部３７に回転自在となるよう設置されルーバー２２の回転軸としての軸部、４０は前記軸部３９の周囲に複数回巻き付いて軸部３９の回転を規制するバネ部、４１は前記送風口側面板３８上に形成されたバネ固定部であり、前記軸部３９、前記バネ部４０及び前記バネ固定部４１でルーバー２２の角度調節装置を構成している。
【００２６】
前記バネ部４０は、前記軸部３９の周囲に複数回巻き付けられルーバー２２を所望の角度で静止させた時、軸部３９を締め付けてルーバー２２を静止させることが可能な摩擦力を有するよう軸部３９と接触したコイル部分４２と、該コイル部分４２の一端から鉛直下向きに伸びた第１バネ端部４３と、前記コイル部分４２の他端から鉛直下向きに伸びた第２バネ端部４４とで構成され、前記バネ固定部４１はルーバー２２が静止している時、前記第１バネ端部４３と当接する第１突起４５と、前記第２バネ端部４４と当接する第２突起４６とで構成されており、前記第１バネ端部４３、前記第２バネ端部４４、前記第１突起４５及び前記第２突起４６で軸固定手段が構成されている。
【００２７】
また、ルーバー２２を時計回りに回転させた時、第１バネ端部４３は第１突起４５により移動が規制されるが第２バネ端部４４はフリーに動作し、また、ルーバー２２を反時計回りに回転させた時、第２バネ端部４４は第２突起４６により移動が規制されるが第１バネ端部４３はフリーに動作するよう第１突起４５及び第２突起４６を送風口側面板３８上に形成したことで、ルーバー２２を所定の開口位置で静止させることができる。
【００２８】
次に、ルーバー２２が回転した時におけるルーバー２２の角度調節装置を構成する各部の動作について説明する。
まず、ミスト運転開始前に使用者が送風口２１を開口するためルーバー２２を手動で回転させると、軸部３９とコイル部分４２との間で摩擦力が働き、軸部３９の移動方向へコイル部分４２が移動することで、第１バネ端部４３と第２バネ端部４４とが軸部３９の回転方向へ移動する。
【００２９】
そして、図７で示すように第１バネ端部４３は、軸部３９の回転方向に形成された第１突起４５によりそれ以上の移動が規制され、第２バネ端部４４は、第２突起４６が形成された位置とは逆方向に移動するため、コイル部分４２にテンションが掛かり縮径して軸部３９を締め付ける力が徐々に強まり、軸部３９とコイル部分４２との間の最大摩擦力を超えた時、一定の力でルーバー２２を回転させることが可能となる。
【００３０】
そして、所望の開口角度に達してルーバー２２を静止させると、図８で示すように軸部３９の回転が停止して第２バネ端部４４が第２突起４６と当接し、コイル部分４２と軸部３９との間の摩擦力により軸部３９の回転を規制して、ルーバー２２を所望の角度で静止させた状態を保持することが可能となる。
【００３１】
以上のように、ルーバー２２の軸部３９周囲に複数回巻き付けられたコイル部分４２と端部に形成された第１バネ端部４３及び第２バネ端部４４とで形成されたバネ部４０と、ルーバー２２が静止している時に第１バネ端部４３及び第２バネ端部４４と当接する第１突起４５及び第２突起４６とで構成された軸固定手段により、使用者が希望するルーバー２２の固定可能な角度について自由度が増すことから使い勝手が向上する。
【００３２】
また、ルーバー２２を手動で回転させる時、軸部３９が回転することで第１突起４５により第１バネ端部４３の移動が規制されるが、第２バネ端部４４は第２突起４６とは逆方向へ移動を続けようとすることから、コイル部分４２にテンションが掛かり徐々に縮径して軸部３９を締め付け、軸部３９とコイル部分４２との間の最大摩擦力を超えたら一定の力で軸部３９が回転可能となるため、ルーバー２２をスムーズに動作させて開口させることが可能となり使用感が向上する。
【００３３】
なお、軸部３９を耐摩耗性の材料で成形することで摩擦係数を小さくすることができることから、軸部３９とコイル部分４２との間の摩擦力を下げることができるため、ルーバー２２の回転をよりスムーズに行うことが可能となり使い勝手が向上する。
【００３４】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３５】
１    器具本体
３    送風ファン
６    貯水室
１３    回転体
１４    駆動モータ
１７    多孔部
２１    送風口
２２    ルーバー
３９    軸部
４０    バネ部
４１    バネ固定部
４２    コイル部分
４３    第１バネ端部
４４    第２バネ端部
４５    第１突起
４６    第２突起
【図１】
2016114269.tif 000003
【図２】
2016114269.tif 000004
【図３】
2016114269.tif 000005
【図４】
2016114269.tif 000006
【図５】
2016114269.tif 000007
【図６】
2016114269.tif 000008
【図７】
2016114269.tif 000009
【図８】
2016114269.tif 000010